【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
個人の１つ以上の点における圧力を監視し、自動的に、複数の調節可能セルを有する、支持構造の１つ以上の区分を調節するためのシステムであって、前記支持構造は、複数の区域に分割され、前記区域のうちの１つ以上は、複数の下位区域に分割され、前記システムは、
周期的に、圧力データを個人上に設置された１つ以上の無線周波数（ＲＦ）アドレス可能センサから受信するための手段と、
前記受信された圧力データに基づいて、前記支持構造内の調節が要求されるかどうかを判定するための手段と、
圧力データの改善が示されるまで、１度に１区域ずつ、前記複数の区域内に位置するセルを体系的に調節するための手段と、
を備え、
圧力データの改善が、区域に対して示される場合、圧力データの改善が示されるまで、１度に１つの下位区域ずつ、その区域に対する複数の下位区域内のセルが体系的に調節されるように構成されており、
圧力データの改善が、下位区域に対して示される場合、圧力データの改善が示されるまで、１度に１セルずつ、その下位区域内のセルが体系的に調節されるように構成されている、
システム。
【請求項２】
前記１つ以上のＲＦアドレス可能センサのそれぞれに対するタグ識別番号を受信するための手段をさらに備える、請求項１に記載のシステム。
【請求項３】
圧力データを１つ以上のＲＦアドレス可能センサから受信するための手段は、前記ＲＦアドレス可能センサをポーリングするための手段を備える、請求項１に記載のシステム。
【請求項４】
調節が要求されるかどうかを判定するための手段は、前記ＲＦアドレス可能センサのうちの１つ以上から受信された圧力データが、閾値を超えるかどうか判定するための手段を備える、請求項１に記載のシステム。
【請求項５】
前記調節が要求されるかどうかは、前記ＲＦアドレス可能センサのうちの１つ以上に対する履歴傾向に基づいて判定されるように構成されている、請求項１に記載のシステム。
【請求項６】
前記履歴傾向は、所定の時間周期にわたって、受信された圧力データが増加したかどうかに関する情報を含む、請求項５に記載のシステム。
【請求項７】
前記セルを体系的に調節するための手段は、１つ以上の区域を、前記支持構造上の前記個人のとり得る位置に基づく順序で体系的に調節する、請求項１に記載のシステム。
【請求項８】
前記セルを体系的に調節するための手段は、１つ以上の区域を、前記区域内で生じる圧力傷害の尤度または重症度に基づく順序で体系的に調節する、請求項１に記載のシステム。
【請求項９】
前記支持構造内の調節が要求されるかどうかは、前記受信された圧力データが、閾値圧力を下回るかどうかに基づいて判定されるように構成されている、請求項１に記載のシステム。
【請求項１０】
前記圧力データの改善が、前記調節が完了した後、示されない場合、アラートを外部監視ステーションに送信するための手段をさらに備える、請求項１に記載のシステム。
【請求項１１】
所定の時間周期の間、前記調節を維持するための手段と、
更新された圧力データを前記１つ以上のＲＦアドレス可能センサから受信するための手段と、
をさらに備える、請求項１に記載のシステム。
【請求項１２】
前記所定の時間周期後、前記調節可能区分のうちの１つ以上を事前に調節されたレベルに戻すための手段をさらに備える、請求項１１に記載のシステム。
【請求項１３】
前記識別された区分のうちの１つ以上を膨張させるための手段を備える、１つ以上の識別された区分を調節するための手段をさらに備える、請求項１に記載のシステム。
【請求項１４】
前記識別された区分のうちの１つ以上を収縮させるための手段を備える、１つ以上の識別された区分を調節するための手段をさらに備える、請求項１に記載のシステム。
【請求項１５】
個人上の圧力創傷を防止および／または治療するためのシステムであって、
複数の調節可能セルを含む、支持構造であって、複数の区域に分割される、支持構造と、
圧力データを前記個人の皮膚に隣接して設置される１つ以上のＲＦアドレス可能センサから受信するように構成される、ＲＦＩＤセンサ読取機と、
前記支持構造および前記ＲＦＩＤセンサ読取機に結合されたプロセッサであって、
前記１つ以上のＲＦアドレス可能センサ内のＲＦアドレス可能センサにおける圧力が、所定の閾値を超えるかどうか判定することと、
前記ＲＦアドレス可能センサからの前記圧力データの改善が観察されるまで、１度に１区域ずつ、前記複数の区域内の前記調節可能セルを体系的に調節することによって、前記ＲＦアドレス可能センサの前記個人上の場所を隔離することと
を行うように構成される、プロセッサと
を備える、システム。
【請求項１６】
前記プロセッサおよび前記１つ以上の調節可能セルに結合される、アクチュエータをさらに備える、請求項１５に記載のシステム。
【請求項１７】
前記１つ以上の調節可能区分に接続される、ホースアセンブリであって、
圧力を導入する手段と、
圧力を導入する手段に動作可能に接続される、中央ラインと、
前記中央ラインに動作可能に接続され、かつ前記１つ以上の調節可能区分に動作可能に接続される、１つ以上の分岐ラインと、
を備える、ホースアセンブリをさらに備え、前記ホースアセンブリは、前記１つ以上の識別された区分を調節するように構成される、請求項１６に記載のシステム。
【請求項１８】
前記ホースアセンブリは、空気圧力によって、前記１つ以上の識別された区分を調節するように構成される、請求項１７に記載のシステム。
【請求項１９】
前記ホースアセンブリは、流体圧力によって、前記１つ以上の識別された区分を調節するように構成される、請求項１７に記載のシステム。
【請求項２０】
前記ＲＦアドレス可能センサは、前記個人の皮膚に添着される、絆創膏内に含まれる、請求項１５に記載のシステム。
【請求項２１】
前記支持構造は、ベッドである、請求項１５に記載のシステム。
【請求項２２】
前記支持構造は、ベッド上での使用のために構成される、パッドである、請求項１５に記載のシステム。
【請求項２３】
前記支持構造は、イスである、請求項１５に記載のシステム。
【請求項２４】
前記支持構造は、車イスである、請求項１５に記載のシステム。
【請求項２５】
前記支持構造は、イス上での使用のために構成される、パッドである、請求項１５に記載のシステム。
【手続補正２】
【補正対象書類名】明細書
【補正対象項目名】０００５
【補正方法】変更
【補正の内容】
【０００５】
ユーザを監視し、ユーザのための療法用支持を提供するためのシステムおよび方法の以下の詳細な説明は、例示的実施形態を図示する、付随の図面を参照する。別様に注記されない限り、全ての実施形態および実施例は、先見的実施例と見なされたい。他の実施形態も、可能である。修正は、本発明の精神および範囲から逸脱することなく、本明細書に説明される実施形態に行なわれることができる。したがって、以下の発明を実施するための形態は、限定を意味するものではない。さらに、以下に説明されるシステムおよび方法が、ハードウェア、ソフトウェア、および／またはファームウェアの多くの異なる実施形態に実装されることができることは、当業者に明白となるであろう。説明される任意の実際のハードウェア、ソフトウェア、および／またはファームウェアは、限定であることを意味するものではない。
本発明は、例えば、以下を提供する：
（項目１）
個人の１つ以上の点における圧力を監視し、自動的に、複数の調節可能セルを有する、支持構造の１つ以上の区分を調節するための方法であって、前記支持構造は、複数の区域に分割され、前記区域のうちの１つ以上は、複数の下位区域に分割され、
周期的に、圧力データを個人上に設置された１つ以上の無線周波数（ＲＦ）アドレス可能センサから受信するステップと、
前記受信された圧力データに基づいて、前記支持構造内の調節が要求されるかどうかを判定するステップと、
圧力データの改善が示されるまで、１度に１区域ずつ、前記複数の区域内に位置するセルを体系的に調節するステップと、
圧力データの改善が、区域に対して示される場合、圧力データの改善が示されるまで、１度に１つの下位区域ずつ、その区域に対する複数の下位区域内のセルを体系的に調節するステップと、
圧力データの改善が、下位区域に対して示される場合、圧力データの改善が示されるまで、１度に１セルずつ、その下位区域内のセルを体系的に調節するステップと
を含む、方法。
（項目２）
前記１つ以上のＲＦアドレス可能センサのそれぞれに対するタグ識別番号を受信するステップをさらに含む、項目１に記載の方法。
（項目３）
圧力データを１つ以上のＲＦアドレス可能センサから受信するステップは、前記ＲＦアドレス可能センサをポーリングするステップを含む、項目１に記載の方法。
（項目４）
調節が要求されるかどうかを判定するステップは、前記ＲＦアドレス可能センサのうちの１つ以上から受信された圧力データが、閾値を超えるかどうか判定するステップを含む、項目１に記載の方法。
（項目５）
調節が要求されるかどうかを判定するステップは、前記ＲＦアドレス可能センサのうちの１つ以上に対する履歴傾向に基づく、項目１に記載の方法。
（項目６）
前記履歴傾向は、所定の時間周期にわたって、受信された圧力データが増加したかどうかに関する情報を含む、項目５に記載の方法。
（項目７）
１つ以上の区域を体系的に調節するための順序は、前記支持構造上の前記個人のとり得る位置に基づく、項目１に記載の方法。
（項目８）
１つ以上の区域を体系的に調節するための順序は、前記区域内で生じる圧力傷害の尤度または重症度に基づく、項目１に記載の方法。
（項目９）
前記支持構造内の調節が要求されるかどうかを判定するステップは、前記受信された圧力データが、閾値圧力を下回るかどうかに基づく、項目１に記載の方法。
（項目１０）
前記圧力データの改善が、前記調節が完了した後、示されない場合、アラートを外部監視ステーションに送信するステップをさらに含む、項目１に記載の方法。
（項目１１）
所定の時間周期の間、前記調節を維持するステップと、
更新された圧力データを前記１つ以上のＲＦアドレス可能センサから受信するステップと、
をさらに含む、項目１に記載の方法。
（項目１２）
前記所定の時間周期後、前記調節可能区分のうちの１つ以上を事前に調節されたレベルに戻すステップをさらに含む、項目１１に記載の方法。
（項目１３）
１つ以上の識別された区分を調節するステップは、前記識別された区分のうちの１つ以上を膨張させるステップを含む、項目１に記載の方法。
（項目１４）
１つ以上の識別された区分を調節するステップは、前記識別された区分のうちの１つ以上を収縮させるステップを含む、項目１に記載の方法。
（項目１５）
個人上の圧力創傷を防止および／または治療するためのシステムであって、
複数の調節可能セルを含む、支持構造であって、複数の区域に分割される、支持構造と、
圧力データを前記個人の皮膚に隣接して設置される１つ以上のＲＦアドレス可能センサから受信するように構成される、ＲＦＩＤセンサ読取機と、
前記支持構造および前記ＲＦＩＤセンサ読取機に結合されたプロセッサであって、
前記１つ以上のＲＦアドレス可能センサ内のＲＦアドレス可能センサにおける圧力が、所定の閾値を超えるかどうか判定することと、
前記ＲＦアドレス可能センサからの前記圧力データの改善が観察されるまで、１度に１区域ずつ、前記複数の区域内の前記調節可能セルを体系的に調節することによって、前記ＲＦアドレス可能センサの前記個人上の場所を隔離することと
を行うように構成される、プロセッサと
を備える、システム。
（項目１６）
前記プロセッサおよび前記１つ以上の調節可能セルに結合される、アクチュエータをさらに備える、項目１５に記載のシステム。
（項目１７）
前記１つ以上の調節可能区分に接続される、ホースアセンブリであって、
圧力を導入する手段と、
圧力を導入する手段に動作可能に接続される、中央ラインと、
前記中央ラインに動作可能に接続され、かつ前記１つ以上の調節可能区分に動作可能に接続される、１つ以上の分岐ラインと、
を備える、ホースアセンブリをさらに備え、前記ホースアセンブリは、前記１つ以上の識別された区分を調節するように構成される、項目１６に記載のシステム。
（項目１８）
前記ホースアセンブリは、空気圧力によって、前記１つ以上の識別された区分を調節するように構成される、項目１７に記載のシステム。
（項目１９）
前記ホースアセンブリは、流体圧力によって、前記１つ以上の識別された区分を調節するように構成される、項目１７に記載のシステム。
（項目２０）
前記ＲＦアドレス可能センサは、前記個人の皮膚に添着される、絆創膏内に含まれる、項目１５に記載のシステム。
（項目２１）
前記支持構造は、ベッドである、項目１５に記載のシステム。
（項目２２）
前記支持構造は、ベッド上での使用のために構成される、パッドである、項目１５に記載のシステム。
（項目２３）
前記支持構造は、イスである、項目１５に記載のシステム。
（項目２４）
前記支持構造は、車イスである、項目１５に記載のシステム。
（項目２５）
前記支持構造は、イス上での使用のために構成される、パッドである、項目１５に記載のシステム。